(57)【要約】【課題】小規模農場における情報管理及び生産から消費に到るトレーサビリティを完成させることができる階層的情報管理システムを提供する。【解決手段】階層的情報管理システム１０の圃場内情報取得装置２０が取得する一つの圃場Ａ内における圃場内バラツキ情報と、圃場間情報取得装置３０が取得する圃場Ａ…間における圃場間バラツキ情報と、生産者間情報取得装置４０が取得する生産者Ｂ…間における生産者間バラツキ情報とを階層的に関連付けて階層的情報管理装置５０で一括管理する。その各情報に基づいて、一つの圃場Ａ内における圃場内マップを、特定の地域Ｃに存在する圃場Ａ…毎に作成し、圃場Ａ…間における圃場間マップ及び生産者Ｂ…間における生産者間マップを作成するか、必要とする情報を階層的に関連付けて出力する。【選択図】  図１
2004199332.tif 000002
【特許請求の範囲】
【請求項１】
一つの圃場内における複数の圃場内バラツキ情報を、特定の地域に存在する圃場毎に取得する圃場内情報取得手段と、
上記圃場内情報取得手段が取得する圃場内バラツキ情報と対応して、該圃場間における複数の圃場間バラツキ情報を取得する圃場間情報取得手段及び該圃場を管理する生産者間における複数の生産者間バラツキ情報を取得する生産者間情報取得手段と、
上記圃場内情報取得手段及び圃場間情報取得手段、生産者間情報取得手段から出力される複数のバラツキ情報を階層的に関連付けて一括管理する階層的情報管理手段とを備えた
階層的情報管理システム。
【請求項２】
上記圃場内情報取得手段が取得する圃場内バラツキ情報の取得位置を検出する取得位置検出手段を備えた
請求項１記載の階層的情報管理システム。
【請求項３】
上記圃場内バラツキ情報と対応する圃場内マップを圃場毎に作成し、上記圃場間バラツキ情報と対応する圃場間マップ及び生産者間バラツキ情報と対応する生産者間マップを上記圃場内マップと関連付けて作成するマップ作成機能を、上記階層的情報管理手段に備えた
請求項１記載の階層的情報管理システム。
【発明の詳細な説明】
【０００１】
【発明の属する技術分野】
この発明は、例えば小規模農場における情報管理及び生産から消費に到るトレーサビリティに用いられる階層的情報管理システムに関する。
【０００２】
【従来の技術】
従来、上述の農産物に関する情報を管理する方法としては、例えば作物収穫機の作物品質計測手段で計測した作物の品質計測情報を、情報出力手段から計測情報収集手段に出力して、計測情報収集手段で収集した各収穫場所に対応する作物の品質計測情報と、その品質計測情報に基づいて、品質マップ作成手段で作成した各収穫場所に対応する作物の地域毎の品質マップと、生産管理情報作成手段で求めた生産者毎の作物の生産管理情報とを出力する特許文献１の作物情報管理システムがある。
【０００３】
【特許文献１】
特開平１１−５３６７４号公報。
【０００４】
【発明が解決しようとする課題】
しかし、上述の作物情報管理システムは、一つの収穫場所における品質のバラツキ及び収穫場所の違いによる品質のバラツキを管理するが、その他の情報、例えば圃場が存在する地域や生産地及び農家間の営農形態や規模、動機等の情報を管理することができない。且つ、大規模農場の場合、図８のイに示すように、栽培作物が単一作物であるケースが多く、圃場内のバラツキのみが管理すべき情報であるので、上述のような作物情報管理システムにより品質のバラツキを管理することができるが、小規模農場の場合、図８のロに示すように、例えば水田や野菜畑、果樹園或いは住居等が一つの農場に含まれるだけでなく、多数の農家が一つの農地を所有及び耕作利用しており、農家間の経営形態や規模、動機、意思が様々である。つまり、圃場内の用途的バラツキのみならず、圃場間の地域的バラツキ及び農家間の営農形態バラツキが同時に存在するため、管理すべき情報が多く、複雑に絡み合っているため、情報管理が難しく、大規模農場における精密農法を、小規模農場に導入することができないという問題点を有している。
【０００５】
この発明は上記問題に鑑み、圃場内及び圃場間、生産者間におけるバラツキ情報を階層的に関連付けて階層的情報管理手段で一括管理することにより、小規模農場における情報管理及び生産・流通・消費に到るトレーサビリティを行うことができる階層的情報管理システムの提供を目的とする。
【０００６】
【課題を解決するための手段】
この発明は、一つの圃場内における複数の圃場内バラツキ情報を、特定の地域に存在する圃場毎に取得する圃場内情報取得手段と、上記圃場内情報取得手段が取得する圃場内バラツキ情報と対応して、該圃場間における複数の圃場間バラツキ情報を取得する圃場間情報取得手段及び該圃場を管理する生産者間における複数の生産者間バラツキ情報を取得する生産者間情報取得手段と、上記圃場内情報取得手段及び圃場間情報取得手段、生産者間情報取得手段から出力される複数のバラツキ情報を階層的に関連付けて一括管理する階層的情報管理手段とを備えた階層的情報管理システムであることを特徴とする。
【０００７】
上述の圃場内バラツキ情報及び生産者間バラツキ情報、圃場間バラツキ情報は、図７及び図８のロに示す階層的構造をなしており、下位階層の多様性により、上位階層のバラツキが必然となる。また、圃場で生産される農産物は、例えば穀類や野菜、果物、お茶、畜産物等で構成することができる。
【０００８】
また、圃場内情報取得手段は、例えば土壌を測定する自走式の土壌測定装置（国際公開第０１／０４６２７号パンフレットに開示）や農産物の品質を評価及び判定する品質評価装置、農産物と略対応して移動する記録媒体（バーコード）の識別情報を読取る情報読取り装置、農産物の収量及び収穫量を収量測定装置、農産物の生育状態を作物生育測定装置、病害虫の分布及び有無を病害虫測定装置、圃場内の情報を入力する情報端末装置等で構成することができる。
【０００９】
また、圃場内情報取得手段及び圃場間情報取得手段、生産者間情報取得手段は、例えば手動操作で入力するパーソナルコンピューターやモバイルＰＣ、携帯電話、インターネット機能を備えたゲーム機器等の情報端末装置で構成することができる。且つ、各種情報を入力する入力手段は、例えばキーボードやマウス、スキャナー、入力ペン、マイク等で構成することができる。
【００１０】
且つ、圃場内情報取得手段で取得する複数の圃場内バラツキ情報は、例えば水田や畑地、耕作地、野菜畑、果樹園、牧場、畜産場或いは居住地帯、村落、利用面積等の一つの圃場に含まれる用途別のバラツキ情報で構成することができる。加えて、土壌の性質や形状、面積、土壌肥沃量、土壌水分量、含有成分量、農薬散布量、特定農薬、収穫量、収益、雑草及び病害虫の分布、分散状態、労働力、労働時間、圃場履歴等の情報及び品種名や生産者の名前や生産日（収穫日を含む）、出荷日、生産地環境、気象条件、栽培履歴、植物及び樹木、畜産物の識別情報等の情報で構成することもできる。
【００１１】
且つ、圃場間情報取得手段で取得する圃場間バラツキ情報は、例えば圃場が存在する場所や地域、生産地、生育地等のバラツキ情報（分布情報）で構成することができる。また、生産者間情報取得手段で取得する複数の生産者間バラツキ情報は、例えば農家間の経営形態や営農形態、経営内容、規模、動機、意思、経験、規模等のバラツキ情報で構成することができる。加えて、生産者は、例えば一般農家や篤農家、営農集団、農協・生産組合、団体、組織等のバラツキ情報で構成することもできる。
【００１２】
また、階層的情報管理手段は、例えばパーソナルコンピューターやホストコンピューター、サーバー或いはＣＰＵ及びＲＯＭ、ＲＡＭを備えた制御装置、コンピューター及び制御装置に格納された情報管理ソフト等で構成することができる。且つ、階層的情報管理手段に記憶された圃場内バラツキ情報及び圃場間バラツキ情報、生産者間バラツキ情報を、例えばＭＯやＣＤ−ＲＯＭ、メモリーカード、フレキシブルディスク等の記録媒体に記録するか、例えば生産部や流通部、消費部等の取扱い部に設置された情報端末装置に出力するか、情報端末装置から出力される様々なバラツキ情報を階層的情報管理装置に記憶することもできる。
【００１３】
つまり、圃場内情報取得手段が取得する一つの圃場内における複数の圃場内バラツキ情報（例えば水田や野菜畑、果樹園或いは住居等の用途別バラツキ情報）と対応して、圃場間情報取得手段が取得する特定の地域に存在する圃場間における複数の圃場間バラツキ情報（例えば地域や生産地、生育地等の農場間バラツキ情報）と、生産者間情報取得手段が取得する生産者間における複数の生産者間バラツキ情報（例えば経営形態や規模、動機、意思等の農家間バラツキ情報）とを、生産・流通・消費において階層的に関連付けて階層的情報管理手段で一括管理すると共に、生産・流通・消費に到るトレーサビリティを行い、必要とする情報を階層的に関連付けて出力する。
【００１４】
実施の形態として、上記圃場内情報取得手段が取得する圃場内バラツキ情報の取得位置を検出する取得位置検出手段（例えばＧＰＳ、ＧＩＳ等の位置検出装置）を備えることができる。また、上記圃場内バラツキ情報と対応する圃場内マップを圃場毎に作成し、上記圃場間バラツキ情報と対応する圃場間マップ及び生産者間バラツキ情報と対応する生産者間マップを上記圃場内マップと関連付けて作成するマップ作成機能を、上記階層的情報管理手段に備えることができる。
【００１５】
【作用及び効果】
この発明によれば、階層的情報管理システムを構成する圃場内情報取得手段の圃場内バラツキ情報及び圃場間情報取得手段の圃場間バラツキ情報、生産者間情報取得手段の生産者間バラツキ情報を、生産及び流通、消費において階層的に関連付けて階層的情報管理手段により一括管理するので、農産物の種類や収量、分布、生育状況、圃場間及び生産者間の関係を正確に把握することができる。且つ、不良品や特定農薬が一部の農産物に発見された場合、情報経路をさかのぼって原因を究明することができ、栽培方法及び場所、産地、生産者等の特定及び原因の改善が容易であり、生産及び流通、消費の間の信頼が確固としたものとなり、生産・流通・消費に到るトレーサビリティを完成させることができる。
【００１６】
【実施例】
この発明の一実施例を以下図面に基づいて詳述する。
図面は、農産物を栽培する圃場内及び圃場間、生産者間における様々なバラツキ情報を一括管理する階層的情報管理システムを示し、図１及び図２に於いて、この階層的情報管理システム１０は、圃場Ａ内における圃場内バラツキ情報と、圃場Ａ…間における圃場間バラツキ情報と、生産者Ｂ…間における生産者間バラツキ情報とを、生産部及び流通部、消費部において階層的に関連付けて一括管理するものである。
【００１７】
上述の圃場Ａ内における圃場内バラツキ情報を取得する圃場内情報取得装置２０は、圃場Ａ内の土壌を測定する土壌測定装置２１と、農産物Ｄの品質を評価及び判定する品質評価装置２２と、農産物Ｄ毎及びその農産物Ｄを載置する載置体Ｅ毎に付設されたバーコードＦの識別情報を読取る情報読取り装置２３と、農産物Ｄの収量及び収穫量を測定する収量測定装置２４と、農産物Ｄの生育状態を測定する作物生育測定装置２５と、病害虫の分布及び有無を測定する病害虫測定装置２６とを備えている。また、上述のバーコードＦを、例えば農産物Ｄを収容する箱体及び袋体、コンテナ等に付設してもよい。
【００１８】
且つ、上述の土壌測定装置２１で測定した土壌情報及び品質評価装置２２で評価した評価情報、情報読取り装置２３で読取った識別情報、収量測定装置２４で測定した収量情報、作物生育測定装置２５で測定した生育情報、病害虫測定装置２６で測定した病害虫情報、一つの圃場Ａ内における圃場内バラツキ情報をＧＰＳが検出する位置情報と対応させて、後述する階層的情報管理装置５０に送受信する情報通信装置２７と、上述の土壌情報及び位置情報、評価情報、識別情報、圃場内バラツキ情報を入力及び出力することができる情報端末装置２８とを備えている。
【００１９】
前述の土壌測定装置２１は、自走式の走行車２１ｃに搭載され、図３に示す圃場Ａ内の土壌面に沿って走行移動するとき、ＧＰＳが検出する位置情報と対応して、例えば土壌の性質や形状、面積、土壌肥沃量、土壌水分量、含有成分量、農薬散布量、雑草の分布等を土壌センサー２１ａで検出及び測定する。
【００２０】
且つ、一つの圃場Ａ内に、例えば水田や野菜畑、果樹園或いは住居等が含まれる場合、その圃場Ａ内における例えば位置や面積、用途等の圃場内バラツキ情報を、走行車２１ｃの位置情報と略対応させてＧＰＳで検出するか、後述する情報端末装置２８で入力する。
【００２１】
且つ、土壌測定装置２１に接続された情報通信装置２１ｂは、上述の土壌情報及び位置情報、生産場所及び栽培場所の場所情報、圃場内バラツキ情報を、土壌測定支援装置（図示省略）を介して、階層的情報管理装置５０に送信及び記憶する。なお、上述の土壌測定装置２１で測定した測定情報を、例えばＭＯやＣＤ−ＲＯＭ等の記録媒体に一旦記録し、その記録媒体から階層的情報管理装置５０に記憶することもできる。また、土壌測定装置２１を、例えば作業者の手で移動させて土壌測定することもできる。
【００２２】
前述の品質評価装置２２は、撮像カメラ２２ａ及び判定装置２２ｂを備え、人為的又は機械的に収穫される農産物Ｄの外部項目及び内部項目を撮像カメラ２２ａで撮像し、その撮像カメラ２２ａから出力される画像情報と、予め記憶された基準情報とを判定装置２２ｂで比較及び演算して、農産物Ｄ全体の品質（例えば色相、損傷、成熟度、大きさ、形状、高さ、幅、体積、偏平度、腐り具合、浮き皮具合、糖酸度、等階級、規格外等の所定項目）を個々に評価及び判定する。
【００２３】
前述の情報読取り装置２３は、上述の品質評価装置２２による評価及び判定と対応して、農産物Ｄ自体及び載置体Ｅ自体に付設したバーコードＦの識別情報を読取るか、その識別情報と対応して、農産物Ｄの生産場所及び栽培場所等の場所情報を読取ることもできる。且つ、判定装置２２ｂに備えられた収量測定装置２４は、上述の品質評価装置２２による判定と対応して、一つの圃場Ａ内で収穫される農産物Ｄの収穫量を計測する。また、品質評価装置２２及び情報読取り装置２３、収量測定装置２４を、上述の走行車２１ｃ又はトラクターやヘリコプター等に搭載することもできる。
【００２４】
前述の作物生育測定装置２５及び病害虫測定装置２６は、走行車２１ｃに搭載して移動又は他の移動手段で移動され、ＧＰＳが検出する位置情報と対応して、作業者の手及び収穫機で収穫する農産物Ｄの生育状態を作物生育測定装置２５で測定し、病害虫の分布及び有無を病害虫測定装置２６で測定する。
【００２５】
前述の情報通信装置２７は、上述の品質評価装置２２に接続され、上述の評価情報及び識別情報を、通信回線（図示省略）を介して、後述する階層的情報管理装置５０に送信及びその階層的情報管理装置５０に記憶された情報を受信する。
【００２６】
前述の情報端末装置２８は、無線式及び有線式の通信回線或いはネットワーク６０を介して、階層的情報管理装置５０に接続され、例えば生産者の名前や生産地、品種名、生産日（収穫日を含む）、出荷日、生産地環境、気象条件、栽培履歴、労働力、労働時間、圃場履歴等の農産物に関連する情報と、上述の土壌測定装置２１による測定作業及び品質評価装置２２による評価作業に必要な情報と、農産物Ｄ毎及び載置体Ｅ毎に付設されたバーコードＦの情報を入力するか、上述の生産情報及び評価情報、識別情報、場所情報を階層的情報管理装置５０に送信及び記憶、読み出すときに操作される。
【００２７】
且つ、圃場Ａ内における圃場内バラツキ情報、生産者Ｂ…間における生産者間バラツキ情報、圃場Ａ…間における圃場間バラツキ情報を入力及び送信、記憶するときにも操作することができる。
【００２８】
前述の圃場Ａ…間における圃場間バラツキ情報を取得する圃場間情報取得装置３０は、通信回線（図示省略）を介して、階層的情報管理装置５０に接続され、例えば地域や生産地、生育地等の圃場Ａ…間における圃場間バラツキ情報を、前述の圃場内情報取得装置２０が取得する様々な情報と対応して入力及び取得すると共に、その取得した情報を、階層的情報管理装置５０に送信及び記憶する。
【００２９】
前述の生産者Ｂ…間における生産者間バラツキ情報を取得する生産者間情報取得装置４０は、通信回線（図示省略）を介して、階層的情報管理装置５０に接続され、例えば経営形態や規模、動機、意思等の生産者Ｂ…間における生産者間バラツキ情報を、前述の圃場内情報取得装置２０が取得する様々な情報と対応して入力及び取得すると共に、その取得した情報を、階層的情報管理装置５０に送信及び記憶する。また、圃場間バラツキ情報及び生産者間バラツキ情報を、圃場内バラツキ情報が入力及び取得されるまえに記憶してもよい。
【００３０】
前述の階層的情報管理装置５０は、前述の圃場内情報取得装置２０から出力される圃場内バラツキ情報と、圃場間情報取得装置３０から出力される圃場Ａ…間の圃場間バラツキ情報と、生産者間情報取得装置４０から出力される生産者Ｂ…間の生産者間バラツキ情報とを階層的に関連付けて一括管理する。且つ、圃場内情報取得装置２０の圃場内バラツキ情報に基づいて、一つの圃場Ａ内における圃場内マップを作成する。且つ、圃場内マップに関連付けて、圃場間情報取得装置３０の圃場間バラツキ情報に基づいて、圃場Ａ…間における圃場間マップを作成し、生産者間情報取得装置４０の生産者間バラツキ情報に基づいて、生産者Ｂ…間における生産者間マップを作成する。且つ、必要とする情報（例えばマップ情報）を階層的に関連付けて出力可能及び読出し可能に記憶する。
【００３１】
図示実施例は上記の如く構成するものにして、以下、階層的情報管理システム１０により圃場Ａ内及び圃場Ａ…間、生産者Ｂ…間における様々なバラツキ情報を一括管理する方法を説明する。
【００３２】
先ず、一つの圃場Ａ内において、図１、図２、図３に示すように、圃場内情報取得装置２０の土壌測定装置２１が搭載された走行車２１ｃを圃場Ａ内の土壌面に沿って矢印方向に走行移動させながら、走行車２１ｃの位置をＧＰＳで検出する。且つ、圃場Ａ内の土壌成分（例えば農薬及び肥料の散布量、濃度等）を土壌センサー２１ａで検出し、農産物Ｄの収量及び収穫量を収量測定装置２４で測定し、農産物Ｄの生育状態を作物生育測定装置２５で測定し、病害虫の分布及び有無を病害虫測定装置２６で測定すると共に、土壌及び生育、収量、病害虫等の測定位置を、走行車２１ｃの位置情報と略対応させてＧＰＳで検出する。
【００３３】
且つ、圃場Ａ内の農産物Ｄを、作業者の手で収穫及び自走式の収穫機（図示省略）で収穫するとき、農産物Ｄの収穫位置及び収穫場所、その他の収穫に関する情報を、走行車２１ｃの位置情報と対応させてＧＰＳで検出すると共に、農産物Ｄの品質を品質評価装置２２で評価及び判定し、その判定結果と対応して農産物Ｄ自体及び載置体Ｅ自体に付設されたバーコードＦの識別情報を情報読取り装置２３で読取る。
【００３４】
一つの圃場Ａ内に、例えば水田や野菜畑、果樹園或いは住居等が含まれる場合、圃場Ａ内の土壌を測定及び農産物Ｄを収穫するとき、その圃場Ａ内における圃場内バラツキ情報を、走行車２１ｃの位置情報と略対応させてＧＰＳで検出する。且つ、情報通信装置２１ｂ，２７から出力される測定情報に基づいて、一つの圃場Ａ内における土壌及び生育、収量、病害虫、農薬、肥料等の分布及び散布マップを階層的情報管理装置５０で作成する。上述と同様にして、図４に示すように、一つの地域Ｃに存在する圃場Ａ…毎に圃場内マップを作成及び記憶する。
【００３５】
且つ、圃場内情報取得装置２０が取得する一つの圃場Ａ内における圃場内バラツキ情報と対応して、圃場間情報取得装置３０が取得する圃場Ａ…間における圃場間バラツキ情報と、生産者間情報取得装置４０が取得する生産者Ｂ…間における生産者間バラツキ情報とを階層的に関連付けて階層的情報管理装置５０に送信及び記憶する。
【００３６】
一方、圃場内情報取得装置２０の圃場内バラツキ情報及び圃場間情報取得装置３０の圃場間バラツキ情報、生産者間情報取得装置４０の生産者Ｂ…間の生産者間バラツキ情報を階層的に関連付けて階層的情報管理装置５０で一括管理すると共に、その階層的関連情報に基づいて、一つの圃場Ａ内における圃場内マップを、特定の地域Ｃに存在する圃場Ａ…毎に作成すると共に、その圃場内マップと関連付けて、圃場Ａ…間における圃場間マップ及び生産者Ｂ…間における生産者間マップを作成し、読出し可能に記憶するので、各情報に対応したマップを確認するだけで、農産物Ｄの種類や収量、分布、生育状況、圃場Ａ…間及び生産者Ｂ…間の関係を一目で把握することができる。
【００３７】
図５、図６は、農薬・肥料の階層的情報を管理する方法の一例を示し、産地（圃場Ａを含む）で栽培する主要農産物Ｄが決まれば、おのずと利用可能な特定の農薬及び肥料が決まるので、産地で特定の農薬及び肥料等のリストを作成する。且つ、農協やディーラが扱う農薬及び肥料の仕入れリストや販売リスト（顧客リスト）を作成すれば、その地域において利用可能な潜在的な農薬散布量及び肥料散布量を推定することができる。
【００３８】
且つ、農薬及び肥料の購入リストを農営集団レベルで管理すれば、潜在的に使用可能量が把握できる。個々の農家レベルの在庫管理データから、実際に使用された農薬及び肥料の量を確定することができる。
【００３９】
上述の検出情報及び測定情報に基づいて、階層的情報管理装置５０が作成する圃場散布マップには、農薬及び肥料の種類や濃度、作業時刻、地番、所有者、散布濃度、散布量、作物、場所毎等の可変散布データが、農薬及び肥料を散布する散布機６１に記録されるので、実際に作物に付着及び吸収された農薬散布量及び肥料散布量が推定できる。且つ、使用された農薬及び肥料がわかっていれば、農薬及び肥料の散布量をチェックする作業が簡単且つ容易であり、作業が迅速且つ確実に行える。
【００４０】
且つ、特定農薬・肥料が流通部及び消費部、評価部（選果部）で検出された場合、階層的情報管理システム１０の情報経路をさかのぼって原因を究明することができ、一部の農産物Ｄを収穫及び流通、消費において廃棄又は破棄するので、貯蔵スペースが小さくて済み、生産者Ｂに与える経済的な損失を最小限に抑えることができる。
【００４１】
以上のように、階層的情報管理システム１０を構成する圃場内情報取得装置２０の圃場内バラツキ情報及び圃場間情報取得装置３０の圃場間バラツキ情報、生産者間情報取得装置４０の生産者間バラツキ情報を、生産及び流通、消費において階層的に関連付けて階層的情報管理装置５０により一括管理するので、農産物Ｄの生産状況及び分布状況、圃場Ａ…間及び生産者Ｂ…間の関係を正確に把握できる。且つ、不良品や特定農薬が一部の農産物Ｄに発見された場合、情報経路をさかのぼって原因を究明することができ、栽培方法及び場所、産地、生産者等の特定及び原因の改善が容易であり、生産及び流通、消費の間の信頼が確固としたものとなり、安心及び安全な農産物Ｄを生産することができ、生産から消費に到るトレーサビリティを完成させることができる。
【００４２】
且つ、情報の整合性及び信頼性が高く、小規模農場における精密農法に導入して生産性及び収益性の向上を図ることができると共に、農産物Ｄの品質管理及び情報管理が簡単且つ容易に行え、多品種少量高品質の生産及び消費体系に対応することができる。
【図面の簡単な説明】
【図１】階層的情報管理システムの構成を示す説明図。
【図２】圃場内における農産物の測定方法を示す説明図。
【図３】圃場内における走行車の移動経路を示す平面図。
【図４】一つの地域に存在する圃場の分布状態を示す平面図。
【図５】農薬・肥料の階層的情報管理例を示す説明図。
【図６】システム全体のトレーサビリティ管理を示す説明図。
【図７】圃場内及び圃場間、生産者間の階層構造を示す説明図。
【図８】大規模農場（イ）及び小規模農場（ロ）の階層構造を示す斜視図。
【符号の説明】
Ａ…圃場
Ｂ…生産者
Ｃ…地域
Ｄ…農産物
１０…階層的情報管理システム
２０…圃場内情報取得装置
２１…土壌測定装置
２１ｂ，２７…情報通信装置
２２…品質評価装置
２３…情報読取り装置
２４…収量測定装置
２５…作物生育測定装置
２６…病害虫測定装置
２８…情報端末装置
３０…圃場間情報取得装置
４０…生産者間情報取得装置
５０…階層的情報管理装置
【図１】
2004199332.tif 000003
【図２】
2004199332.tif 000004
【図３】
2004199332.tif 000005
【図４】
2004199332.tif 000006
【図５】
2004199332.tif 000007
【図６】
2004199332.tif 000008
【図７】
2004199332.tif 000009
【図８】
2004199332.tif 000010